(57)【要約】【課題】取り付け並びに手間を簡単にしてなる筺体及び棚板システム構造を提供すること。【解決手段】平板と、筺体と、棚板と、棚板取付金具を有する筺体及び棚板システム構造であって、前記平板は、その側面に前記棚板取付金具を取り付けるための穴を複数個有し、  前記筺体は、少なくとも天板、底板、左右側板及び背板を有し、前記側板には前記棚板取付金具を取り付けるための穴を複数個有し、前記棚板取付金具は、前記穴に取り付ける取付部と、前記棚板を支持する支持部を有し、前記平板の幅と前記筺体の幅の長さを合わせた長さより長い壁面に対し、該壁面の一方端に前記平板を設け、他方端に前記筺体を設け、前記平板と前記筺体との間に生じる空間に前記棚板を設け、該棚板を、対向する前記平板の穴と前記側板の穴にそれぞれ取り付けられる前記棚板取付金具で支持する筺体及び棚板システム構造。【選択図】図１
2009072341.tif 000002
【特許請求の範囲】
【請求項１】
平板と、筺体と、棚板と、棚板取付金具を有する筺体及び棚板システム構造であって、
前記平板は、その側面に前記棚板取付金具を取り付けるための穴を複数個有し、
前記筺体は、少なくとも天板、底板、左右側板及び背板を有し、前記側板には前記棚板取付金具を取り付けるための穴を複数個有し、
前記棚板取付金具は、前記穴に取り付ける取付部と、前記棚板を支持する支持部を有し、
前記平板の幅と前記筺体の幅の長さを合わせた長さより長い壁面に対し、該壁面の一方端に前記平板を設け、他方端に前記筺体を設け、前記平板と前記筺体との間に生じる空間に前記棚板を設け、該棚板を、対向する前記平板の穴と前記側板の穴にそれぞれ取り付けられる前記棚板取付金具で支持することを特徴とする筺体及び棚板システム構造。
【請求項２】
２個の筺体と、棚板と、棚板取付金具を有する筺体及び棚板システム構造であって、
前記２個の筺体は、少なくとも天板、底板、左右側板及び背板を有し、前記側板には前記棚板取付金具を取り付けるための穴を複数個有し、
前記棚板取付金具は、前記穴に取り付ける取付部と、前記棚板を支持する支持部を有し、
前記２個の筺体の幅の長さより長い壁面に対し、該壁面の一方端に１個の筺体を設け、他方端に他の１個の筺体を設け、前記２個の筺体間に生じる空間に前記棚板を設け、該棚板を、対向する前記側板の穴にそれぞれ取り付けられる前記棚板取付金具で支持することを特徴とする筺体及び棚板システム構造。
【請求項３】
３個以上の筺体と、棚板と、棚板取付金具を有する筺体及び棚板システム構造であって、
前記３個以上の筺体は、少なくとも天板、底板、左右側板及び背板を有し、前記側板には前記棚板取付金具を取り付けるための穴を複数個有し、
前記棚板取付金具は、前記穴に取り付ける取付部と、前記棚板を支持する支持部を有し、
前記３個以上の筺体の幅の長さより長い壁面に対し、該壁面の一方端に１個の筺体を設け、他方端に他の１個の筺体を設け、更に他の筺体を前記２個の筺体間に設け、筺体間に生じる空間に前記棚板を設け、該棚板を、対向する前記側板の穴にそれぞれ取り付けられる前記棚板取付金具で支持することを特徴とする筺体及び棚板システム構造。
【請求項４】
前記穴は、前記左右側板に設けられることを特徴とする請求項１ないし３のいずれか１項に記載の筺体及び棚板システム構造。
【請求項５】
前記穴は、前記側板を貫通しない穴であることを特徴とする請求項１ないし４のいずれか１項に記載の筺体及び棚板システム構造。
【請求項６】
前記壁面は、平面視コ字状であることを特徴とする請求項１ないし５のいずれか１項に記載の筺体及び棚板システム構造。
【発明の詳細な説明】
【技術分野】
【０００１】
本発明は、壁面間に筺体及び棚板を簡単に取り付けることができ、且つ見栄えのよい筺体及び棚板システム構造に関するものである。
【背景技術】
【０００２】
集合住宅用のキャビネットとして、例えばトイレの壁面等に設けられるものがある。図９にその一例を示す。キャビネットとしての筺体３０は、天板３１、底板３２、左右側板３３、３３及び背板３４、並びに必要に応じて内部を上下に仕切る棚板を有し、多くの場合、その前面に取手３７を有する扉３６が設けられる（例えば、特許文献１参照）。
【０００３】
この筺体３０をトイレの壁面に取り付けた状態を図１０に示す。この筺体３０の左右方向の長さｈは、壁面２０の長さ、即ち左右の側壁２１、２１間の長さＨより短かく、図に示すようにトイレの正面上方の壁面２０に取り付けられる。なお、符号２３は窓、２２は便器である。
【０００４】
ところで、この筺体３０の長さｈは、できるだけ側壁２１、２１間の長さＨに近い方が側壁２１、２１と筺体３０との間の隙間ｒが小さくなり見栄えがよくなるため好ましい。しかしながら、筺体３０の長さｈはトイレのドアの幅より長いため、筺体３０をトイレのドアから運び込む際、図に示す取付方向より９０度回転した状態で運び込み、運び込んだ後再び９０度回転し取付位置の状態に戻して壁面２０に取り付けざるを得ない。即ち、トイレ内で９０度回転するためには筺体３０の長さｈを側壁２１、２１間の長さＨよりある程度短くせざるを得ず、その結果筺体３０を壁面２０に取り付けた際、どうしてもその両側にある幅を有する隙間ｒが生じることになる。
【０００５】
この隙間ｒをそのままにしておくとどうしても見栄えが悪くなる。そのため従来、側面視Ｌ字状の埋め木３８を用いて隙間ｒを埋めていた。ところが、ほとんどの場合、隙間ｒの幅は左右で異なるとともに、それぞれの隙間ｒでも上と下とでは間隔が異なっており、壁面２０に筺体３０を取り付け、その後、左右の隙間ｒを測り、その隙間ｒにピッタリ入る埋め木３８を作ってその隙間ｒを埋めていた。そのため、筺体３０の取り付けに多くの手間並びに時間が掛かり、結果的に生産コストを押し上げていた。
【０００６】
また、一般に壁面２０に棚板を取り付ける場合、壁面２０に予め棚板取付金具を取り付けなければならず、やはりその取り付けに多くの手間並びに時間を要していた。
【特許文献１】特開２００７−１８２７２１号公報
【発明の開示】
【発明が解決しようとする課題】
【０００７】
本発明は、取り付けが簡単で且つ見栄えのよい筺体及び棚板システム構造を提供することを目的とする。
【課題を解決するための手段】
【０００８】
前記目的を達成するため、本発明は以下の構成を採用する。
【０００９】
請求項１に係る発明では、平板と、筺体と、棚板と、棚板取付金具を有する筺体及び棚板システム構造であって、前記平板は、その側面に前記棚板取付金具を取り付けるための穴を複数個有し、前記筺体は、少なくとも天板、底板、左右側板及び背板を有し、前記側板には前記棚板取付金具を取り付けるための穴を複数個有し、前記棚板取付金具は、前記穴に取り付ける取付部と、前記棚板を支持する支持部を有し、前記平板の幅と前記筺体の幅の長さを合わせた長さより長い壁面に対し、該壁面の一方端に前記平板を設け、他方端に前記筺体を設け、前記平板と前記筺体との間に生じる空間に前記棚板を設け、該棚板を、対向する前記平板の穴と前記側板の穴にそれぞれ取り付けられる前記棚板取付金具で支持する構成。
【００１０】
請求項２に係る発明では、２個の筺体と、棚板と、棚板取付金具を有する筺体及び棚板システム構造であって、前記２個の筺体は、少なくとも天板、底板、左右側板及び背板を有し、前記側板には前記棚板取付金具を取り付けるための穴を複数個有し、前記棚板取付金具は、前記穴に取り付ける取付部と、前記棚板を支持する支持部を有し、前記２個の筺体の幅の長さより長い壁面に対し、該壁面の一方端に１個の筺体を設け、他方端に他の１個の筺体を設け、前記２個の筺体間に生じる空間に前記棚板を設け、該棚板を、対向する前記側板の穴にそれぞれ取り付けられる前記棚板取付金具で支持する構成。なお、この構成では、筺体、棚板、筺体の順になる。
【００１１】
請求項３に係る発明では、３個以上の筺体と、棚板と、棚板取付金具を有する筺体及び棚板システム構造であって、前記３個以上の筺体は、少なくとも天板、底板、左右側板及び背板を有し、前記側板には前記棚板取付金具を取り付けるための穴を複数個有し、前記棚板取付金具は、前記穴に取り付ける取付部と、前記棚板を支持する支持部を有し、前記３個以上の筺体の幅の長さより長い壁面に対し、該壁面の一方端に１個の筺体を設け、他方端に他の１個の筺体を設け、更に他の筺体を前記２個の筺体間に設け、筺体間に生じる空間に前記棚板を設け、該棚板を、対向する前記側板の穴にそれぞれ取り付けられる前記棚板取付金具で支持する構成。なお、この構成で筺体が３個の場合には、筺体、棚板、筺体、棚板、筺体、或いは筺体、筺体、棚板、筺体の順でもよく、４個の場合には、筺体、棚板、筺体、棚板、筺体、棚板、筺体、或いは筺体、筺体、棚板、筺体、筺体、或いは筺体、筺体、筺体、棚板、筺体の順等でもよく、要は、壁面の両端に１個ずつ筺体があり、その間の空間を残りの筺体と棚板とで埋める配置であれば、残りの筺体と棚板の順序はどのような順序でもよい。５個以上のものも同様である。
【００１２】
請求項４に係る発明では、前記穴は、前記左右側板に設けられる構成。
【００１３】
請求項５に係る発明では、前記穴は、前記側板を貫通しない穴である構成。
【００１４】
請求項６に係る発明では、前記壁面は、平面視コ字状である構成。
【００１５】
なお、本発明の棚板の幅の長さ、即ち左右方向の長さは、前記空間内に収まり棚板取付金具で支持可能な長さであればどのような長さでもよいが、見栄えを良くするためにはその両端の隙間はできるだけ少ない方がよい。また、空間に収まり棚板取付金具で支持可能な長さの棚板があればそのまま使用するが、空間より長い棚板であれば切断等の加工を施して用いることになる。なお、平板、筺体及び棚板とも図１の正面視での左右方向を「幅」と言い、同正面視での上下方向を「高さ」と言い、同正面視での前後方向（紙面に直交方向）を「奥行き」と言う。
【発明の効果】
【００１６】
本発明により、以下の効果がある。  
（１）トイレのドア枠の上、壁面、サッシの上、台所の壁面やカウンターの上下等の予め決められた壁面の範囲に、筺体及び棚板を、見栄えよく正確且つ、簡単に取り付けることができる。そして、予め決められた壁面が側壁を有する平面視コ字状の壁面であれば、その側壁との間に隙間なく取り付けることができる。
【００１７】
（２）筺体と棚板とを適宜組み合わせることにより、思いのままの収納空間を演出することができる。
【００１８】
（３）建築現場等においては以下の効果がある。  
・従来の工法に比べ工期を大幅に短縮することができる。  
・建築現場での実寸計測を不要にすることができる。  
・基本キャビネットを標準化することができる。  
・標準化できることにより建築現場への納入を現場の予定に合わせることができる。  
・キャビネットを分割することにより個々の重量が軽減するため、キャビネットの取付けを容易に行うことができる。  
・従来の埋め木が不要になるため、それだけ生産コストを低減することができる。
【実施例】
【００１９】
図１にトイレでの１個の平板と１個の筺体と１組の棚板とのシステム構造の例を示し、図２に同じくトイレでの２個の筺体と１組の棚板とのシステム構造の例を示し、図３に部屋の壁面での３個の筺体と２組の棚板とのシステム構造の例を示し、図４に同じく部屋の壁面での４個の筺体と３組の棚板とのシステム構造の例を示し、図５に部屋のサッシ上方の壁面での３個の筺体と１組の棚板とのシステム構造の例を示す。
【００２０】
図１にトイレＴの壁面に配置する一例を示す。トイレＴは、壁面２０、左右側壁２１、２１及び図示しない扉を有し、その床には便器２２が取り付けられ、壁面２０には、窓２３を有する。そして、窓２３の上方の壁面２０には、左右側壁２１、２１間に亘って本発明の筺体及び棚板システム構造が設けられる。
【００２１】
この構造は、平面視コ字状の壁面に適用されるもので、１個の平板２４、１個の筺体３０及び１組の棚板４０からなる。平板２４は、図６に示すような平板状の板材であり、その幅、高さ及び奥行きは筺体３０の側板３３とほぼ同様なものが用いられるが、その大きさは適宜変更可能である。平板２４の両側面には図に示すような棚板取付金具４５を取り付けるための円形の穴２５が、前後方向に複数個、例えば２個、且つ上下方向に複数段、例えば７段形成される。この穴２５の深さは、平板２４の幅より短くされるが、貫通穴であってもよい。また、図７に示すように両側面で上下方向或いは斜め方向にずらして設けてもよい。
【００２２】
この平板２４は、前記左右側壁２１、２１のいずれかの面に釘或いはビス等により取り付けられる。穴２５を貫通穴にしたり或いは両側面に穴２５を設けておくことにより左右側壁２１、２１のいずれの面にも平板２４を取り付けることができる。なお、穴２５の形状は楕円、四角、三角等であってもよい。
【００２３】
前記筺体３０は、図９に示すものと同様のものであるが、幅の長さは略半分である。即ち、筺体３０は、天板３１、底板３２、左右側板３３、３３及び背板３４を有し、内部には内部を上下に仕切る複数個の内部棚板３５（図１では２個）が必要に応じて設けられる。この内部棚板３５は、左右側板３３、３３の内面に前後方向に複数個、例えば２個、且つ上下方向に複数段、例えば７段有する円形の穴のいずれかに取り付けた棚板取付金具４５により支持される。また、筺体３０の前面には取手３７を有する片開きの扉３６が設けられる。なお、左右側板３３、３３以外はほぼ従来のものと同じ構造である。
【００２４】
左右側板３３、３３の形状は、前記平板２４とほぼ同様である。即ち、図６に示すような平板状の板材であり、それぞれの外面には図に示すような棚板取付金具４５を取り付けるための円形の穴３９が、前後方向に複数個、例えば２個、且つ上下方向に複数段、例えば７段形成される。この穴３９の深さは側板３３の幅より短くされるとともに、この深さをできるだけ長くするために穴３９の位置は、側板３３の内面に設けられる複数の穴より上下方向或いは斜め方向に例えば図７で示すようにずらして設けられる。なお、穴３９と平板２４の穴２５とは棚板４０を水平に支持することができるように同じ位置になるように配置される。
【００２５】
この筺体３０は、前記平板２４が取り付けられる側壁２１と反対側の側壁２１に釘或いはビス等により取り付けられる。このように、左右側板３３、３３の両外面に穴３９を設けておくことにより、左右側壁２１、２１のいずれの面にも筺体３０を取り付けることができる。なお、穴３９の形状は楕円、四角、三角等であってもよいし、取付面が左右側壁２１、２１のいずれかに決まっている場合には、その取付面と反対の側板３３の外面のみに設けてもよい。また、穴３９は貫通穴であってもよい。
【００２６】
前記棚板４０は、通常用いられている矩形状の平板部材である。その奥行きは筺体３０の奥行きとほぼ同じで、幅は長めのものが用意され、現場等で必要な長さの幅に加工、即ち切断して用いることになる。即ち、前記平板２４を一方の側壁２１に取り付け、筺体３０を他方の側壁２１に取り付け、平板２４と筺体３０との間にできる空間の長さを測り、その長さより若干短い長さのものに必要枚数（図１では２枚で１組）切断し、切断した棚板４０を空間の上下方向に収納し、棚板取付金具４５に支持させる。
【００２７】
図８に本発明の棚板取付金具４５の概略斜視図を示す。棚板取付金具４５は、円柱状の取付部４６と、Ｌ字状の支持部４７とを有しており、取付部４６を前記穴２５、３９に圧入し、支持部４７に棚板４０の端部を載せることにより図に示すような形態で棚板４０を支持するものである。即ち、前記したように、平板２４を一方の側壁２１に取り付け、筺体３０を他方の側壁２１に取り付け、対向する平板２４の穴２５と筺体３０の穴３９であって、同一高さで且つ必要な高さの位置の穴２５、３９に棚板取付金具４５を圧入して取り付け、棚板取付金具４５の支持部４７に空間の長さに切断した棚板４０を水平に支持させることにより棚板として利用する。
【００２８】
この例のものは、壁面２０の長さの略半分の幅の筺体３０を用い、該筺体３０と平板２４とを側壁２１のそれぞれに接する形態で取り付け、取り付けた筺体３０と平板２４との穴２５、３９に棚板取付金具４５を圧入し、筺体３０と平板２４との間の空間に、該空間の長さより若干短く加工した棚板４０を収納し水平に支持させるだけの作業であり、組立を見栄えよく短時間且つ簡単に行うことができる。更に従来必要であった埋め木３８も不要になる。
【００２９】
図２にトイレＴの壁面に配置する他の一例を示す。図１と異なる点について主として説明し、共通なものは図１のものと同じであり説明は省略する。この例の構造は、２個の筺体３０と１組の棚板４０とからなる。前記筺体３０は、図１のものと同様であるが、幅の長さは短く壁面２０の幅の略１／３である。そして、筺体３０は、その内部に複数個の内部棚板３５（図２では２個）が図１と同様な支持形態で取り付けられる。
【００３０】
また、左右側板３３、３３の形状も図１のものとほぼ同様である。即ち、それぞれの外面には図６に示すような棚板取付金具４５を取り付けるための円形の穴３９が、前後方向に複数個、例えば２個、且つ上下方向に複数段、例えば７段同じ位置に設けられ、棚板４０を水平に支持する。この穴３９の深さは側板３３の幅より短くされるとともに、この深さをできるだけ長くするために穴３９の位置は、側板３３の内面に設けられる複数の穴より上下方向或いは斜め方向に例えば図７で示すようにずらして設けられる。
【００３１】
２個の筺体３０は、両側壁２１、２１のいずれかに接して釘或いはビス等により取り付けられる。そして、対向する側板３３、３３の外面の穴であって、同一高さで且つ必要な高さの位置の穴３９、３９に棚板取付金具４５を圧入して取り付け、棚板取付金具４５の支持部４７に空間の長さに切断した棚板４０を水平に支持させることにより棚板として利用することになる。
【００３２】
この例のものにおいても、簡単な作業で、組立を見栄えよく短時間で行うことができるとともに、従来必要であった埋め木３８も不要になる。
【００３３】
図３に部屋の全一壁面に配置する一例を示す。この例のものは、３個の筺体として洋だんす５０、棚付きキャビネット５１及び和だんす５２を用い、これら洋だんす５０、棚付きキャビネット５１及び和だんす５２と、２組の棚板４０とでシステム構造を構成するものであり、洋だんす５０、棚付きキャビネット５１及び和だんす５２の側板及び穴は図６に示すものと同じであり、以下においては同じ符号を用いて説明する。
【００３４】
部屋は、壁面２０、左右側壁２１、２１を有し、左右側壁２１、２１間に亘って本発明の筺体及び棚板システム構造が設けられる。
【００３５】
この構造も平面視コ字状の壁面に適用されるもので、３個の筺体、即ち洋だんす５０、棚付きキャビネット５１及び和だんす５２と２組の棚板４０からなる。そして、洋だんす５０、棚付きキャビネット５１及び和だんす５２は、広く利用されているものであり説明は省略する。
【００３６】
洋だんす５０、棚付きキャビネット５１及び和だんす５２の左右側板３３、３３には、図６に示すようにそれぞれの外面には棚板取付金具４５を取り付けるための円形の穴３９が、前後方向に複数個、例えば２個、且つ上下方向に複数段、例えば７段形成される。この穴３９の深さは側板３３の幅より短くされるとともに、側板３３の内面に内側棚板用の穴がある場合には、穴３９の位置は内側棚板用の穴よりずらして設けられ、穴３９の深さはできるだけ長くされる。
【００３７】
そして、洋だんす５０が左側の側壁２１に接して置かれ、和だんす５２が右側の側壁２１に接して置かれ、洋だんす５０と和だんす５２との間のほぼ中央に棚付きキャビネット５１が置かれ、洋だんす５０と棚付きキャビネット５１との間に１組の棚板４０が収納され、棚付きキャビネット５１と和だんす５２との間に他の１組の棚板４０がそれぞれ図１及び図２で説明した取り付け方法と同じ方法で取り付けられる。なお、右側の組の棚板４０は、その最上部の棚板４０の下面にハンガーパイプ５４を取り付け、このハンガーパイプ５４にハンガー５５を掛け服等を吊すようにしている。
【００３８】
この例のものにおいては、部屋の全一壁面に亘って、洋だんす５０、棚付きキャビネット５１及び和だんす５２と２組の棚板４０との配置を簡単且つ見栄えよく短時間で行うことができる。
【００３９】
図４に部屋の全一壁面に配置する他の一例を示す。この例のものは、４個の筺体として洋だんす５０、２個の棚付きキャビネット５１及び収納キャビネット５３を用い、これら洋だんす５０、棚付きキャビネット５１、５１及び収納キャビネット５３と、３組の棚板４０とでシステム構造を構成するものであり、洋だんす５０、棚付きキャビネット５１及び収納キャビネット５３の側板及び穴は図６に示すものと同じであり、以下においては同じ符号を用いて説明する。
【００４０】
部屋は、壁面２０、左右側壁２１、２１を有し、左右側壁２１、２１間に亘って本発明の筺体及び棚板システム構造が設けられる。
【００４１】
この構造も平面視コ字状の壁面に適用されるもので、４個の筺体、即ち洋だんす５０、２個の棚付きキャビネット５１及び収納キャビネット５３と３組の棚板４０からなる。洋だんす５０、棚付きキャビネット５１及び収納キャビネット５３は、広く利用されているものであり説明は省略する。
【００４２】
洋だんす５０、棚付きキャビネット５１及び収納キャビネット５３の左右側板３３、３３には、図６に示すようにそれぞれの外面には棚板取付金具４５を取り付けるための円形の穴３９が、前後方向に複数個、例えば２個、且つ上下方向に複数段、例えば７段形成される。この穴３９の深さは側板３３の幅より短くされるとともに、側板３３の内面に内側棚板用の穴がある場合には、穴３９の位置は内側棚板用穴よりずらして設けられ、穴３９の深さはできるだけ長くされる。
【００４３】
そして、収納キャビネット５３が左側の側壁２１に接して置かれ、洋だんす５０が右側の側壁２１に接して置かれ、収納キャビネット５３と洋だんす５０との間にほぼ同じ間隔を開けて２個の棚付きキャビネット５１が置かれ、収納キャビネット５３と棚付きキャビネット５１との間に１組の棚板４０が収納され、棚付きキャビネット５１と棚付きキャビネット５１との間に１組の棚板４０が収納され、棚付きキャビネット５１と洋だんす５０との間に他の１組の棚板４０がそれぞれ図１及び図２で説明した取り付け方法と同じ方法で取り付けられる。
【００４４】
この例のものにおいても、部屋の全一壁面に亘って、洋だんす５０、２個の棚付きキャビネット５１及び収納キャビネット５３と３組の棚板４０との配置を簡単且つ見栄えよく短時間で行うことができる。
【００４５】
図５に側壁がない部屋の壁面、例えば窓の上方で、クーラー６１近傍の壁面２０の領域Ｑに配置する一例を示す。この構造は、３個の筺体３０と１組の棚板４０からなる。３個の筺体３０は、ほぼ同じもので図１に示すものと同様のものである。そして、左右側板３３、３３の外面には図６に示すような棚板取付金具４５を取り付けるための円形の穴３９が、前後方向に複数個、例えば２個、且つ上下方向に複数段、例えば７段形成されている。
【００４６】
この例のものは、まず壁面の指定領域Ｑの左側に１個の筺体３０を壁面に釘或いはビス等により取り付け、右側に他の１個の筺体３０を同様な手段で取り付け、次いで、右側の筺体３０に接して３個目の筺体３０を同様な手段で取り付ける。そして、左側の筺体３０と３個目の筺体３０との間の空間に図１等で説明した取り付け方法で棚板４０を取り付ける。
【００４７】
この例のものにおいても、上記システム構造を決められた領域Ｑ内に簡単な作業で、見栄えよく短時間で行うことができる。
【００４８】
本発明は、上記実施例の構成に限定されるものではなく、発明の要旨を逸脱しない範囲において適宜設計変更可能である。また、図２ないし図５のもので図１と共通部は特に説明がなくても図１の説明と同様な記載があるものとする。
【図面の簡単な説明】
【００４９】
【図１】本発明のトイレでの１個の平板と１個の筺体と１組の棚板とのシステム構造図
【図２】本発明のトイレでの２個の筺体と１組の棚板とのシステム構造図
【図３】本発明の部屋の壁面での３個の筺体と２組の棚板とのシステム構造図
【図４】本発明の部屋の壁面での４個の筺体と３組の棚板とのシステム構造図
【図５】本発明の部屋のサッシ上方の壁面での３個の筺体と１組の棚板とのシステム構造図
【図６】本発明の平板ないし筺体の側板の棚板取付金具用穴の状態を示す斜視図
【図７】本発明の筺体の側板外側の棚板取付金具用穴と、側板内側の棚板取付金具用穴との状態を示す断面図
【図８】本発明の棚板取付金具の概略斜視図
【図９】従来のキャビネット（筺体）の斜視図
【図１０】従来のトイレでの筺体取付図
【符号の説明】
【００５０】
２０…壁面              ２１…側壁
２２…便器              ２３…窓
２４…平板              ２５…穴
３０…筺体              ３１…天板
３２…底板              ３３…側板
３４…背板              ３５…内部棚板
３６…扉                ３７…取手
３８…埋め木            ３９…穴
４０…棚板              ４５…棚板取付金具
４６…取付部            ４７…支持部
５０…洋だんす          ５１…収納キャビネット
５２…和だんす          ５３…収納キャビネット
５４…ハンガーパイプ    ５５…ハンガー
６０…窓                ６１…クーラー
【図１】
2009072341.tif 000003
【図２】
2009072341.tif 000004
【図３】
2009072341.tif 000005
【図４】
2009072341.tif 000006
【図５】
2009072341.tif 000007
【図６】
2009072341.tif 000008
【図７】
2009072341.tif 000009
【図８】
2009072341.tif 000010
【図９】
2009072341.tif 000011
【図１０】
2009072341.tif 000012